(57)【要約】【課題】組立てが容易で、かつ、比較的安価に製造することが可能な記録ディスクカートリッジを提供する。【解決手段】記録ディスクカートリッジは、記録ディスクメディア３０を外部に臨ませるアクセス用開口部を有するカートリッジケースと、カートリッジケース内で回動することでアクセス用開口部を開閉するロータリシャッタとを備え、ロータリシャッタが、互いに対向して配置される金属製の上シャッタ２１及び下シャッタ２２と、ロータリシャッタの周壁を構成する合成樹脂製のシャッタウォール２３と、カートリッジケースに形成されたガイド孔１２４から突出するように形成されたシャッタノブ２４Ａと、を備えており、下シャッタ２２とシャッタノブ２４Ａの突出部２４１とは、一枚の金属板を折り曲げることにより一体に形成されている。【選択図】図６
2007149197.tif 000002
【特許請求の範囲】
【請求項１】
記録ディスクメディアと、前記記録ディスクメディアを収容するとともに、前記記録ディスクメディアを外部に臨ませるアクセス用開口部を有するカートリッジケースと、前記記録ディスクメディアと前記カートリッジケースとの間で回動することで前記アクセス用開口部を開閉するロータリシャッタと、を備える記録ディスクカートリッジであって、
前記ロータリシャッタが、前記記録ディスクメディアを介在させて互いに対向して配置される一対の平板部材と、前記一対の平板部材に取り付けられて前記ロータリシャッタの周壁を構成するシャッタウォールと、前記カートリッジケースに形成されたガイド孔から突出するように形成されたシャッタノブと、を備えており、
前記シャッタノブは、前記一対の平板部材の一方から延び、前記ガイド孔から突出する突出部を備えており、
前記一対の平板部材の一方と前記突出部とは、一枚の金属板を折り曲げることにより一体に形成されている
ことを特徴とする記録ディスクカートリッジ。
【請求項２】
前記シャッタノブは、前記突出部に取り付けられ、前記ガイド孔の溝幅よりも大きい外径を有する取付部を備えていることを特徴とする請求項１に記載の記録ディスクカートリッジ。
【請求項３】
前記取付部は、前記突出部よりも高耐磨耗性及び低摩擦性を示す部材により構成されていることを特徴とする請求項２に記載の記録ディスクカートリッジ。
【請求項４】
前記取付部は、前記突出部に、回動自在に取り付けられていることを特徴とする請求項２または請求項３に記載の記録ディスクカートリッジ。
【発明の詳細な説明】
【技術分野】
【０００１】
本発明は、記録ディスクカートリッジに関し、より詳しくは記録ディスクメディアと、記録ディスクメディアを収容するカートリッジケースとを備える記録ディスクカートリッジに関する。
【背景技術】
【０００２】
従来、ポリエステルシートなどからなる円盤状の支持体の両面に磁性層を形成したフレキシブルな磁気ディスクメディアや、光記録ディスクメディア、相変化ディスクメディアなどの記録ディスクメディアをカートリッジケースに収容した記録ディスクカートリッジが知られている。
【０００３】
従来の記録ディスクカートリッジとしては、例えば特許文献１に記載のものが知られている。
特許文献１に記載の記録ディスクカートリッジ８００は、図１１（ａ）及び（ｂ）に示すように、カートリッジケース８１０と、このカートリッジケース８１０の内部に回動自在に配置されたロータリシャッタ８２０と、このロータリシャッタ８２０の内部に回転自在に配置された記録ディスクメディア８３０と、を主に備えている。記録ディスクメディア８３０は、円盤状のフレキシブルディスク８３１と、このフレキシブルディスク８３１を支持するハブ８３２とから構成されている。かかる記録ディスクカートリッジ８００は、専用のドライブ装置（図示省略）に挿入されて使用される。
【０００４】
カートリッジケース８１０は、上シェル８１１と下シェル８１２とから構成されており、記録ディスクカートリッジ８００がドライブ装置に挿入されたときにドライブ装置のヘッドが記録ディスクメディア８３０にアクセスできるように、平面視くさび形のアクセス用開口部８１３が形成されている。また、下シェル８１２には、記録ディスクカートリッジ８００がドライブ装置に挿入されたときにドライブ装置のスピンドルがハブ８３２にチャックできるように、チャック用ハブ孔８１５が形成されている。
【０００５】
ロータリシャッタ８２０は、円盤状の上シャッタ８２３と下シャッタ８２４とから構成されており、記録ディスクメディア８３０をアクセス用開口部８１３から外部に臨ませるための切欠８２１を有している。この切欠８２１は、アクセス用開口部８１３と対応する形状を有している。なお、上シャッタ８２３には、絞り加工によりその外周を下向に立ち上げることにより一体に形成された立ち上げ壁部が、下シャッタ８２４には、絞り加工によりその外周を上向に立ち上げることにより一体に形成された立ち上げ壁部が、それぞれ形成されており、ロータリシャッタ８２０は、上シャッタ８２３の立ち上げ壁部の内側に下シャッタ８２４の立ち上げ壁部が重なるように嵌合することで形成されている。すなわち、ロータリシャッタ８２０の周壁は、上シャッタ８２３に一体に形成された立ち上げ壁部と下シャッタ８２４に一体に形成された立ち上げ壁部とを重ねることにより形成されている。また、ロータリシャッタ８２０は、カートリッジケース８１０内で回動できるように上シェル８１１に取り付けられている。ロータリシャッタ８２０が閉位置にあるとき、カートリッジケース８１０のアクセス用開口部８１３はロータリシャッタ８２０の切欠８２１以外の部分によって塞がれる。そのため、記録ディスクメディア８３０は外部に臨まない状態となる。ロータリシャッタ８２０が開位置にあるとき、ロータリシャッタ８２０の切欠８２１とカートリッジケース８１０のアクセス用開口部８１３とが一致し、アクセス用開口部８１３及び切欠８２１から記録ディスクメディア８３０は外部に臨んだ状態となる。ロータリシャッタ８２０は、図示しないばねにより付勢されて、ドライブ装置に挿入されていないときは閉位置に配置され、ドライブ装置に挿入されたときは開位置に配置されるようになっている。
また、ロータリシャッタ８２０の下シャッタ８２４には、チャック用ハブ孔８１５と対応する形状を有するハブ孔８２２が形成されており、ハブ８３２の下面は、このハブ孔８２２を介してチャック用ハブ孔８１５から外部に臨んでいる。
【０００６】
ロータリシャッタ８２０によるアクセス用開口部８１３の開閉は、記録ディスクカートリッジ８００をドライブ装置へ挿入したときに、下シャッタ８２４に一体に形成されたシャッタノブ８２５が、ドライブ装置のシャッタノブ係止部に係止されることにより、下シェル８１２に形成されたガイド孔８１４に沿ってシャッタノブ８２５が移動して、カートリッジケース８１０内においてロータリシャッタ８２０を回転させることにより行う。
そのため、シャッタノブ８２５は、カートリッジケース８１０の下シェル８１２のガイド孔８１４から下方向に突出するように形成されている。また、シャッタノブ８２５の先端は、ガイド孔８１４の幅よりも大きく形成されて、シャッタノブ８２５がカートリッジケース８１０内に入り込むこと（ガイド孔８１４から外れること）がないように形成されている。
【特許文献１】米国特許第６２５６１６８号明細書
【発明の開示】
【発明が解決しようとする課題】
【０００７】
このような従来の記録ディスクカートリッジ８００では、金属製部材をロータリシャッタ８２０の下面に抵抗溶接法やかしめ法等により固定することでロータリシャッタ８２０とシャッタノブ８２５とを一体に形成していた。このため、シャッタノブ８２５の形成には、高品質による微小部材の固定作業に手間を要するとともにこの微小部材の取り扱いが煩雑であるという問題点を有していた。
また、シャッタノブ８２５の形成は、ガイド孔８１４を挿通させた状態でロータリシャッタ８２０の下面に固定する必要があり、取り扱いが困難なため、作業効率が悪かった。さらに、ロータリシャッタ８２０の組立ては、下シャッタ８２４に下シェル８１２が組み合わされた状態で記録ディスクメディア８３０の配置、上シェル８１１に組み合わされた状態の上シャッタ８２３への下シャッタ８２４の嵌合を行う必要があり、取り扱いが煩雑で、作業効率に支障をきたしていた。
【０００８】
また、従来の記録ディスクカートリッジ８００は、部品点数が多いことによる各部品の製造費や組立てに要する作業の手間などにより、記録ディスクカートリッジ全体の製造費が高くなるという問題点も有していた。
【０００９】
本発明は、このような背景に鑑みて創案されたものであり、組立てが容易で、かつ、比較的安価に製造することが可能な記録ディスクカートリッジを提供することを課題とする。
【課題を解決するための手段】
【００１０】
前記課題を解決するための手段として、本発明は、記録ディスクメディアと、前記記録ディスクメディアを収容するとともに、前記記録ディスクメディアを外部に臨ませるアクセス用開口部を有するカートリッジケースと、前記記録ディスクメディアと前記カートリッジケースとの間で回動することで前記アクセス用開口部を開閉するロータリシャッタと、を備える記録ディスクカートリッジであって、前記ロータリシャッタが、前記記録ディスクメディアを介在させて互いに対向して配置される一対の平板部材と、前記一対の平板部材に取り付けられて前記ロータリシャッタの周壁を構成するシャッタウォールと、前記カートリッジケースに形成されたガイド孔から突出するように形成されたシャッタノブと、を備えており、前記シャッタノブは、前記一対の平板部材の一方から延び、前記ガイド孔から突出する突出部を備えており、前記一対の平板部材の一方と前記突出部とは、一枚の金属板を折り曲げることにより一体に形成されていることを特徴としている。
【００１１】
このような記録ディスクカートリッジによれば、予め平板部材の一方とシャッタノブの突出部とが一枚の金属板を折り曲げることにより一体に形成されているため、シャッタノブとして別部材をロータリシャッタの金属製の平板部材に固定する手間を要していた従来に比べて、組立作業の工程を一部省略し、簡易に行うことを可能としている。また、シャッタノブの突出部が予め平板部材の一方と一体に形成されているため、細かい部品を取り扱うための手間と加工に要する費用を省略することが可能となる。
【００１２】
また、前記した記録ディスクカートリッジにおいて、前記シャッタノブが、前記突出部に取り付けられ、前記ガイド孔の溝幅よりも大きい外径を有する取付部を備えていれば、カートリッジケースのガイド孔からシャッタノブが外れることが防止されるため、好適である。また、取付部の取り付けを、ロータリシャッタの組立て後に、ロータリシャッタをカートリッジケースに配置してから行えば、記録ディスクカートリッジの組立作業性が向上し、好適である。なお、取付部は、側面がガイド孔の溝幅よりも大きい外径の周壁である部材であればよい。
【００１３】
また、前記した記録ディスクカートリッジにおいて、前記取付部が、前記突出部よりも高耐磨耗性及び低摩擦性を示す部材により構成されていれば、ドライブへの装着時やドライブからの取り出し時に伴うシャッタノブとドライブのシャッタノブ係止部との接触によるシャッタノブの変形や破損を防止するため好適である。
【００１４】
また、前記した記録ディスクカートリッジにおいて、前記取付部が、前記突出部に、回動自在に取り付けられていれば、ドライブへの装着時やドライブからの取り出し時に伴うシャッタノブとドライブのシャッタノブ係止部との接触によるシャッタノブの変形や破損が防止されるため好適である。
【発明の効果】
【００１５】
本発明によれば、記録ディスクカートリッジを効率的に組み立てることが可能となり、かつ、比較的安価に製造することができる。
【発明を実施するための最良の形態】
【００１６】
本発明を実施するための最良の形態について図面を参照して詳細に説明する。参照する図面において、図１は、第一の実施形態に係る記録ディスクカートリッジを示す斜視図であり、（ａ）は前方斜め上方からみた図、（ｂ）は後方斜め下方からみた図をそれぞれ示している。図２は、第一の実施形態に係る記録ディスクカートリッジの分解斜視図である。図３は、第一の実施形態に係る記録ディスクカートリッジを下方からみた平面図である。図４は、第一の実施形態に係るロータリシャッタを示す斜視図であり、（ａ）は前方斜め上方からみた図、（ｂ）は後方斜め下方からみた図である。図５は、第一の実施形態に係る下シャッタ及び突出部の製造工程を説明するための図である。図６は、第一の実施形態に係るシャッタノブの詳細を示す断面図である。図７は、第一の実施形態に係る記録ディスクカートリッジをドライブ装置に挿入した状態を示す斜視図である。図８は、第二の実施形態に係る下シャッタ及び突出部の製造工程を説明するための図である。図９は、第二の実施形態に係るシャッタノブの詳細を示す断面図である。
なお、各実施形態において方向を説明する場合は、図１に示す前、後、右、左、上、下、を基準として説明する。
【００１７】
（第一の実施形態）
≪記録ディスクカートリッジ１の構成≫
第一の実施形態に係る記録ディスクカートリッジ１は、図１及び図２に示すように、カートリッジケース１０と、このカートリッジケース１０の内部に回動可能に配置されたロータリシャッタ２０と、このロータリシャッタ２０の内部に回転自在に配置された記録ディスクメディア３０と、カートリッジケース１０の内部であってロータリシャッタ２０の下方に配置されたハブ孔シャッタ４０と、記録ディスクメディア３０をクリーニング及び保護等するライナ６０，６０と、各ライナ６０をロータリシャッタ２０の内面に固着する接着層（図示せず。固定層ともいう）と、を主に備えている。そして、このような記録ディスクカートリッジ１は、専用のドライブ装置Ｄ（図７参照）に、その前側から挿入されて使用される。
【００１８】
＜カートリッジケース１０＞
カートリッジケース１０は、図１に示すように、記録ディスクメディア３０を収容するための厚さの薄い箱状体である。そして、カートリッジケース１０は、前端部１０ａが平面視で円弧（アーチ）状に形成されると共に、後端部１０ｂ、右端部１０ｃ及び左端部１０ｄが平面視で略直線状に形成されている。なお、後端部１０ｂの中間部は、その両側に比してやや後側に膨らんでおり、記録ディスクカートリッジ１をドライブ装置Ｄから取り出す際に把持し易くなっている（図７参照）。
【００１９】
また、カートリッジケース１０は、その内部に収容された記録ディスクメディア３０を外部に臨ませるための、平面視でくさび形（中心角が略９０°の略扇形）に切り欠かれたアクセス用開口部１０１（ケース開口）を有している。なお、このアクセス用開口部１０１は、ドライブ装置ＤのスイングアームＳＡ（図７参照）の動作に干渉しない形状となっている。
【００２０】
このようなカートリッジケース１０は、図２に示すように、互いに対向して配置される金属製の上シェル１１及び下シェル１２と、この上シェル１１及び下シェル１２の間に介在した合成樹脂製のフレーム部材１３と、を備えて構成されている。
【００２１】
［上シェル１１、下シェル１２］
上シェル１１は、主に、カートリッジケース１０の上壁を構成する部材である。下シェル１２は、主に、カートリッジケース１０の下壁を構成する部材である。このような上シェル１１及び下シェル１２は、例えばステンレス鋼等の金属プレートが、打ち抜き加工され、後記するように折り曲げ加工されることで、所定の形状に形成されている。
【００２２】
上シェル１１は、その前側左寄りの部分に、平面視でくさび形に切り欠かれたアクセス用開口部１１１を有している。これと同様に、下シェル１２は、その前側左寄りの部分に、平面視でくさび形に切り欠かれたアクセス用開口部１２１を有している。そして、アクセス用開口部１１１とアクセス用開口部１２１とで、前記したカートリッジケース１０のアクセス用開口部１０１が構成されている。
【００２３】
また、上シェル１１は、その右側に、金属プレートを折り曲げ加工して一体形成された平面視直線状の折り曲げ部１１２ｃを有しており、その左側に、折り曲げ部１１２ｄを有している。これと同様に、下シェル１２は、その右側に折り曲げ部１２２ｃを、その左側に折り曲げ部１２２ｄを有している。
そして、カートリッジケース１０が組み立てられたときに、折り曲げ部１１２ｃと折り曲げ部１２２ｃが重なり合って、カートリッジケース１０の右端部１０ｃにおける周壁の一部を構成するようになっている。これと同様に、折り曲げ部１１２ｄと折り曲げ部１２２ｄとが重なり合って、左端部１０ｄにおける周壁の一部を構成するようになっている。
【００２４】
さらに、上シェル１１は、その中央部に、ロータリシャッタ２０を回動可能に止め付けるセンタピン５０と係合する係合孔１１３を有している。
【００２５】
一方、下シェル１２は、その中央部に、記録ディスクメディア３０のハブ３２を外部に臨ませるハブ孔１２３を有している。そして、記録ディスクカートリッジ１がドライブ装置Ｄに装着された際に、このハブ孔１２３を介して、ドライブ装置Ｄのスピンドル（図示省略）が、ハブ３２にチャック（係合）するようになっている。
また、下シェル１２は、ロータリシャッタ２０のシャッタノブ２４の軌道に沿って形成されたガイド孔１２４と、ハブ孔シャッタ４０を軸支するための内側（記録ディスクメディア３０側）に突出した２つの回動軸部１２５ａ，１２５ｂとを有している。
【００２６】
［フレーム部材１３］
フレーム部材１３は、図２に示すように、主に前端部１０ａ（図１参照）の周壁となるアーチ状フレーム１３１と、主に後端部１０ｂ（図１参照）の周壁となるベースフレーム１３２と、主に左端部１０ｄの前側の周壁の一部となるＶノッチ部材１３３と、を備えて構成されている。
【００２７】
アーチ状フレーム１３１の内壁面１３１ａ（記録ディスクメディア３０側の面）は、ロータリシャッタ２０の外形に沿って円弧状に形成されており、アーチ状フレーム１３１の外壁面１３１ｂ（記録ディスクカートリッジ１の外側の面）は、カートリッジケース１０の前端部１０ａの形状に沿って平面視で円弧状に形成されている。
これと同様に、ベースフレーム１３２の内壁面１３２ａ（記録ディスクメディア３０側の面）は、ロータリシャッタ２０の外形に沿って円弧状に形成されており、ベースフレーム１３２の外壁面１３２ｂ（記録ディスクカートリッジ１の外側の面）はカートリッジケース１０の後端部１０ｂの形状に沿って平面視で略直線形状に形成されている。
【００２８】
また、アーチ状フレーム１３１は、下向きに開口し、カートリッジケース１０の内部と外部を連通させる係合溝１３１ｅ（図４参照）を有している。この係合溝１３１ｅは、後記するロック片７０が係合する溝である。
【００２９】
Ｖノッチ部材１３３は、後記するように閉方向に付勢されるロータリシャッタ２０を閉位置で止めるストッパとしての役割と（図３参照）、ドライブ装置Ｄとの係合部としての役割とを備える部材であり、左端部１０ｄの前側に配置されている。
【００３０】
そして、このような上シェル１１及び下シェル１２とフレーム部材１３とは、公知の技術によって、それぞれ固定されている。例えば、（１）フレーム部材１３にボスを設けると共に、上シェル１１及び下シェル１２にボス孔を設け、ボスをボス孔に挿通した状態でボスの先端をかしめたり、（２）上シェル１１及び下シェル１２とフレーム部材１３とを接着剤により接着したりして、上シェル１１及び下シェル１２とフレーム部材１３とが固定されている。
【００３１】
＜ロータリシャッタ２０＞
ロータリシャッタ２０は、アクセス用開口部１０１（図１参照）を開閉するためのシャッタであり、中空構造の略円盤形状に形成されている。そして、ロータリシャッタ２０の中空部に、記録ディスクメディア３０が回転自在に収容されている（図４参照）。
【００３２】
ロータリシャッタ２０は、図２、図３及び図４に示すように、記録ディスクメディア３０を外部に臨ませる切欠部２０１を有している（図７及び図８参照）。なお、切欠部２０１は、カートリッジケース１０のアクセス用開口部１０１と略同形状となっている。
そして、ロータリシャッタ２０は上シェル１１の中央部付近にセンタピン５０によって回動自在に固定されている。
【００３３】
さらに説明すると、ロータリシャッタ２０が閉位置にある場合、ロータリシャッタ２０の切欠部２０１と、カートリッジケース１０のアクセス用開口部１０１とが周方向にずれ、ロータリシャッタ２０がカートリッジケース１０のアクセス用開口部１０１を閉じるようになっている（図１、図３、図７及び図８参照）。
これに対し、ロータリシャッタ２０が開位置にある場合、記録ディスクカートリッジ１の厚み方向（記録ディスクメディア３０の軸方向）において、切欠部２０１とアクセス用開口部１０１とが一致し、ロータリシャッタ２０がアクセス用開口部１０１を開くようになっている。そして、このようにアクセス用開口部１０１が開かれると、記録ディスクメディア３０が外部に臨むようになっている（図７及び図８参照）。
【００３４】
また、ロータリシャッタ２０は、図示しない付勢手段（例えば渦巻きばね）によって、閉方向（図３、矢印Ａ１参照）に付勢されている。そして、このように閉方向に付勢されたロータリシャッタ２０は、記録ディスクカートリッジ１がドライブ装置Ｄに挿入される前の通常時では、周方向において、Ｖノッチ部材１３３に当接することで閉位置に配置され、アクセス用開口部１０１を閉じるようになっている（図１、図３、図７及び図８参照）。
ちなみに、本発明において、前記付勢手段は必須の構成要素ではなく、ドライブ装置Ｄ（図７参照）から記録ディスクカートリッジ１を抜き出す際に、ロータリシャッタ２０が閉方向Ａ１に回動するように、ドライブ装置Ｄ側にシャッタノブ２４Ａの係止手段を設けることによって、前記付勢手段は省略することができる。
【００３５】
このようなロータリシャッタ２０は、図２及び図４に示すように、金属製の板状部材である上シャッタ２１及び下シャッタ２２と、これらの間に介在した合成樹脂製のシャッタウォール２３と、を備えて構成されている。
【００３６】
［上シャッタ２１、下シャッタ２２］
上シャッタ２１は、ロータリシャッタ２０の上壁を構成する部材であり、くさび形に切り欠かれた切欠部２１１を有している。下シャッタ２２は、ロータリシャッタ２０の下壁を構成する部材であり、くさび形に切り欠かれた切欠部２２１を有している。
そして、切欠部２１１と切欠部２２１とで、前記したロータリシャッタ２０の切欠部２０１が構成されている。
【００３７】
また、上シャッタ２１は、その中央部に、前記したセンタピン５０を挿通させるための挿通孔２１２を有している。
【００３８】
下シャッタ２２は、その中央部に、記録ディスクメディア３０の後記するハブ３２を外部に臨ませるためのハブ孔２２２を有している。
また、下シャッタ２２の下シェル１２側には、ハブ孔シャッタ４０の係合長孔４１３に係合する係合突起２２３ａと、係合長孔４２３に係合する係合突起２２３ｂとが形成されている。そして、このように、係合突起２２３ａが係合長孔４１３に、係合突起２２３ｂが係合長孔４２３に、それぞれ係合することで、ロータリシャッタ２０の回動に連動して、ハブ孔シャッタ４０が回動するようになっている。
【００３９】
また、下シャッタ２２は、その一部が下側に折り曲げ加工されることで一体に形成されたシャッタノブ２４Ａの突出部２４１を備えている（図４参照）。かかるシャッタノブ２４Ａについては、後で詳しく説明する。
【００４０】
さらにまた、下シャッタ２２は、その一部が上側に折り曲げ加工されることで一体に形成されたロック片７０（ロック機構）を備えている。ロック片７０は、記録ディスクカートリッジ１の挿入前である通常時において、ロータリシャッタ２０を閉位置でロックするためのものである。
具体的には、ロック片７０は、下シャッタ２２の側面から、その径方向外側に向かって徐々に離れるように延出した細長の金属片である。ロック片７０の先端部７１は、径方向内側に向かってやや屈曲している（図３及び図４参照）。
【００４１】
そして、記録ディスクカートリッジ１がドライブ装置Ｄに挿入される前の通常時、ロータリシャッタ２０が閉位置にある場合、ロック片７０の先端部７１は、アーチ状フレーム１３１の係合溝１３１ｅ（図３参照）に係合し、ロータリシャッタ２０が回動しないようになっている。
【００４２】
また、ロック片７０の先端部７１は、係合溝１３１ｅを介して、記録ディスクカートリッジ１の右側方に臨んでいる。そして、記録ディスクカートリッジ１がドライブ装置Ｄ（図５参照）に挿入されると、ドライブ装置Ｄ内のロック解除ピン（図示省略）が、ロック片７０の先端部７１を径方向内側に押し（図３の矢印Ａ６参照）、ロック片７０と係合溝１３１ｅとの係合が解除され、ロータリシャッタ２０が回動可能となるように構成されている。
【００４３】
［シャッタウォール２３］
シャッタウォール２３は、ロータリシャッタ２０の周壁を構成する部材であり、図２に示すように、ロータリシャッタ２０の切欠部２０１に相当する部分が切り欠かれた、平面視「Ｃ」字形状の合成樹脂製の部材である。そして、シャッタウォール２３の上下には、上シャッタ２１と下シャッタ２２とが、カートリッジケース１０と同様に、適宜な方法によって固定されており、このようなシャッタウォール２３が上シャッタ２１と下シャッタ２２との間に介在されることにより、記録ディスクメディア３０を収容するスペースが形成されている。
【００４４】
［シャッタノブ２４Ａ］
シャッタノブ２４Ａは、図２、図５（ｃ）及び図６に示すように、下シャッタ２２と一体に形成され、ガイド孔１２４から突出するように形成された突出部２４１と、突出部２４１に回動自在に取り付けられた円筒部２４２と、円筒部２４２の抜け止めであるストッパ２４３と、を備えている。
【００４５】
突出部２４１は、下シャッタ２２からガイド孔１２４方向に立設された立設部２４１ａと、立設部２４１ａの先端に設けられた筒部２４１ｂと、を備えている。筒部２４１ｂは、ガイド孔１２４の溝幅よりも小さい外径を有する円筒形状を呈しており、ガイド孔１２４から突出する部分である。
【００４６】
円筒部２４２は、筒部２４１ｂよりも大きい内径と、ガイド孔１２４の溝幅よりも大きい外径と、を有する円筒形状を呈する部材である。円筒部２４２は、合成樹脂製の部材であり、突出部２４１よりも高耐磨耗性及び低摩擦性を示す部材である。この円筒部２４２が、特許請求の範囲における「取付部」の一例である。
【００４７】
ストッパ２４３は、合成樹脂製の部材であり、上から順に、テーパ部２４３ａ、円柱部２４３ｂ及び頭部２４３ｃを備えている。
テーパ部２４３ａは、下に向かって拡径し、下端部が筒部２４１ｂの内径よりも大きい外径を有している。また、テーパ部２４３ａには、立設部２４１ａに対応する逃げ部２４３ａ１が形成されている。
円柱部２４３ｂは、円筒部２４２の内径よりも小さい外径を有しており、筒部２４１ｂの高さよりも若干大きい高さを有している。
頭部２４３ｃは、円柱部２４３ｂの外径よりも大きく円筒部２４２の外径よりも小さい外径を有している。
【００４８】
ここで、図５を参照して、下シャッタ２２及びシャッタノブ２４Ａの突出部２４１の製造方法について説明する。以下の説明において、係合突起２２３ａ，２２３ｂ、ロック片７０などは省略する。
まず、図５（ａ）に示すように、金属板Ｂ１を用意する。金属板Ｂ１は、後に下シャッタ２２となる第一部分Ｂ１１と、後に突出部２４１となる第二部分Ｂ１２を備えている。第二部分Ｂ１２は、第一部分Ｂ１１から外側に延びる延出部Ｂ１２ａと、延出部Ｂ１２ａの先端から両側に延びる帯状部Ｂ１２ｂと、を備えている。延出部Ｂ１２ａ及び帯状部Ｂ１２ｂは、Ｔ字形状を呈している。また、第一部分Ｂ１１と延出部Ｂ１２ａとは、一対の切欠ｎ１，ｎ１により区画されている。
【００４９】
続いて、図５（ｂ）に示すように、帯状部Ｂ１２ｂをフォーミングなどにより円筒形状に加工し、その後、図５（ｃ）に示すように、第二部分Ｂ１２の基端部を折り曲げる。
このようにすることで、第一部分Ｂ１１及び第二部分Ｂ１２が、それぞれ下シャッタ２２及び突出部２４１となる。また、延出部Ｂ１２ａ及び帯状部Ｂ１２ｂが、それぞれ立設部２４１ａ及び筒部２４１ｂとなる。
そして、突出部２４１をガイド孔１２４（図６参照）に挿通させた後、円筒部２４２を突出部２４１の筒部２４１ｂに遊嵌させた状態で、ストッパ２４３を筒部２４１ｂに圧入する。テーパ部２４３ａが筒部２４１ｂを超えると、ストッパ２４３が筒部２４１ｂに係止される。ここで、テーパ部２４３ａに逃げ部２４３ａ１が形成されているので、立設部２４１ａとテーパ部２４３ａとが干渉しない構造となっている。
なお、切欠ｎ１，ｎ１が形成されていることにより、延出部Ｂ１２ｂの基端部（折り曲げ位置）が第一部分Ｂ１１の端縁よりも内側となるので、突出部２４１を下シャッタ２２の端縁よりも内側に配置することができる。
また、突出部２４１の基端部（折り曲げ位置）が、下シャッタ２２の径に直交する方向に延びているので、シャッタノブ係止部Ｄ１により作用する力に十分耐えうる構造となっている。
【００５０】
＜記録ディスクメディア３０＞
記録ディスクメディア３０は、データを記録する記録媒体であり、本実施形態では、図２に示すように、フレキシブルディスク３１と、このフレキシブルディスク３１を支持するハブ３２と、を備えて構成されている。
【００５１】
フレキシブルディスク３１は、例えば、ポリエステルシート等からなる円盤状の支持体の両面に磁性層等の記録層を形成したものである。
ハブ３２は、フレキシブルディスク３１を支持する金属製の円筒状部材である。また、ハブ３２は、上面にフレキシブルディスク３１の取り付け部（図示省略）を備えると共に、下面にドライブ装置Ｄ（図７参照）のスピンドル（図示省略）にチャックされるチャック部３２１を備えている（図１（ｂ）参照）。
【００５２】
＜ライナ６０＞
ライナ６０，６０は、記録ディスクメディア３０をクリーニングすると共に、記録ディスクメディア３０を保護するものであり、例えば、不織布等から形成されている。そして、ライナ６０，６０は、上シャッタ２１及び下シャッタ２２のフレキシブルディスク３１（記録ディスクメディア３０）側にそれぞれ位置しており、接着層（図示せず）を介して上シャッタ２１又は下シャッタ２２に固定されている。
【００５３】
＜ハブ孔シャッタ４０＞
図２に戻って説明を続ける。
ハブ孔シャッタ４０は、下シェル１２とハブ３２との間の隙間Ｓ（図７参照）を開閉するシャッタであり、第１シャッタ４１と、第２シャッタ４２とを備えて構成されている。なお、ハブ孔シャッタ４０は、ロータリシャッタ２０によるアクセス用開口部１０１の開閉に連動して、隙間Ｓを開閉するようになっている。
【００５４】
第１シャッタ４１及び第２シャッタ４２は、それぞれ、平面視で半円状の板状部材である。第１シャッタ４１は、その一方側に、軸孔４１１を有している。同様に、第２シャッタ４２は、その一方側に、軸孔４２１を有している。そして、軸孔４１１には、下シェル１２の内側面に設けられた回動軸部１２５ａが差し込まれており、同様に、軸孔４２１には下シェル１２の回動軸部１２５ｂが差し込まれている。このようにして、第１シャッタ４１は回動軸部１２５ａに回動自在に軸支されており、第２シャッタ４２は回動軸部１２５ｂに回動自在に軸支されている。
【００５５】
また、第１シャッタ４１は、その他方側に、ハブ３２と嵌り合うように半円形状に切り欠かれた嵌合部４１２を有している。同様に、第２シャッタ４２は、その他方側に、嵌合部４２２を有している。そして、記録ディスクカートリッジ１がドライブ装置Ｄに挿入される前の通常時では、第１シャッタ４１と第２シャッタ４２とで、ハブ３２を、その両側から挟むと共に、隙間Ｓを閉じるようになっている。
【００５６】
さらに、第１シャッタ４１は、下シャッタ２２の下側面に設けられた係合突起２２３ａが係合する係合長孔４１３を有している。同様に、第２シャッタ４２は、係合突起２２３ｂが係合する係合長孔４２３を有している。なお、係合長孔４１３，４２３の平面視における形状は、後記するように、ロータリシャッタ２０と一体に回動する係合突起２２３ａ，２２３ｂの回動により、第１シャッタ４１及び第２シャッタ４２が回動し、ハブ孔シャッタ４０が隙間Ｓを開閉するように設計されている。
【００５７】
≪記録ディスクカートリッジの作用効果≫
次に、記録ディスクカートリッジ１の作用効果について説明する。
【００５８】
＜ロータリシャッタ２０の動作＞
ロータリシャッタ２０は、図７右側に示すように、記録ディスクカートリッジ１の通常時（ドライブ装置Ｄへの挿入前）において、閉位置に配置されており、アクセス用開口部１０１が閉じられている。さらに説明すると、通常時において、カートリッジケース１０のアクセス用開口部１０１と、ロータリシャッタ２０の切欠部２０１とは、一致しておらず、アクセス用開口部１０１は閉状態となっている。これにより、アクセス用開口部１０１からカートリッジケース１０内への塵埃の侵入が防止されており、その結果として、記録ディスクメディア３０等が保護されている。
なお、このようにロータリシャッタ２０が閉位置に配置される場合、シャッタノブ２４は、下シェル１２のガイド孔１２４の前方に位置している。
【００５９】
そして、記録ディスクカートリッジ１をドライブ装置ＤのカートリッジスロットＤＳに挿入すると、ドライブ装置Ｄのロック解除ピン（図示省略）がロック片７０の先端部７１を径方向内側に押し、ロック片７０によるロータリシャッタ２０のロックが解除された後（図３、矢印Ａ６参照）、シャッタノブ２４がドライブ装置Ｄのシャッタノブ係止部Ｄ１に引っ掛かって係止される。このようにシャッタノブ２４Ａがシャッタノブ係止部Ｄ１に係止されたまま、記録ディスクカートリッジ１をさらに挿入すると、シャッタノブ２４Ａはシャッタノブ係止部Ｄ１の表面を左右に移動しつつ、ガイド孔１２４に沿って摺動する（図３、矢印Ａ２参照）。
【００６０】
そうすると、シャッタノブ２４Ａが固定されたロータリシャッタ２０は、カートリッジケース１０内でセンタピン５０を軸として回動する（図３、矢印Ａ３参照）。つまり、ロータリシャッタ２０がカートリッジケース１０に対して相対的に回動する。このようなロータリシャッタ２０の回動に伴って、アクセス用開口部１０１が、ドライブ装置Ｄ内で徐々に開く。
【００６１】
そして、図７左側に示すように、記録ディスクカートリッジ１が、完全に挿入され、ドライブ装置Ｄに装着されると、ロータリシャッタ２０の切欠部２０１とカートリッジケース１０のアクセス用開口部１０１とが一致し、ロータリシャッタ２０が開位置に配置され、アクセス用開口部１０１が完全に開かれる。その結果として、記録ディスクメディア３０が、切欠部２０１及びアクセス用開口部１０１を介して、ドライブ装置Ｄ内で、外部に臨んだ状態となる。そして、ドライブ装置ＤにおけるスイングアームＳＡのヘッドは、記録ディスクメディア３０に書き込み／読み取り可能となる。
なお、このようにロータリシャッタ２０が開位置に配置される場合、ロータリシャッタ２０に固定されたシャッタノブ２４Ａは、下シェル１２のガイド孔１２４の後方に位置する。
【００６２】
また、記録ディスクカートリッジ１がドライブ装置Ｄから取り出されると、ロータリシャッタ２０が付勢手段（図示省略）によって閉方向に付勢され、閉位置に戻り、アクセス用開口部１０１を閉じる。そして、このようにロータリシャッタ２０が閉位置に戻ると、ロック片７０がロータリシャッタ２０をロックする（図３参照）。
【００６３】
なお、記録ディスクカートリッジ１のドライブ装置Ｄへの挿入時には、シャッタノブ２４Ａの軸部２４１に回動自在に取り付けられた円筒部２４２が、回転しながらシャッタノブ係止部Ｄ１の表面を左右に移動するため、シャッタノブ２４Ａの磨耗による破損が防止されている。したがって、ドライブ装置Ｄへの出し入れを繰り返し行っても、記録ディスクカートリッジ１のシャッタノブ２４Ａが破損することが防止されている。ここで、本実施形態ではシャッタノブ２４Ａの円筒部２４２を回動自在に軸部２４１に取り付けるものとしたが、円筒部２４２の構成は前記のものに限定されるものではなく、例えば、円筒部２４２が突出部２４１よりも高耐磨耗性及び低摩擦性を示す部材により構成されていれば、円筒部２４２が回動自在に取り付けられていなくても、本実施形態と同様の効果を得ることが可能である。すなわち、円筒部２４２が突出部２４１よりも高耐磨耗性及び低摩擦性（高滑り性、易滑り性）を示す部材により構成されているので、円筒部２４２のシャッタノブ係止部Ｄ１との接触による磨耗に対する耐久性が高められ、寿命が長くなる。また、円筒部２４２がシャッタノブ係止部Ｄ１に対して滑るようになるので、ロータリシャッタ２０の動作が円滑になる。また、円筒部２４２とシャッタノブ係止部Ｄ１との摺動による塵埃（合成樹脂粉）の発生が抑制される。
例えば、金属板Ｂ１としては、アルミニウム合金、ステンレス鋼などの金属プレートを使用することができ、円筒部２４２としては、エンジニアプラスチック（例えば、ポリオキシメチレン（ＰＯＭ；PolyOxyMethylene））などの合成樹脂から形成された部材を使用することができる。また、円筒部２４２は、潤滑剤（例えば、ポリエチレンワックス）を含む合成樹脂から形成されていてもよい。かかる潤滑剤としては、一般に合成樹脂成形品に使用されているものでよい。
【００６４】
本実施形態に係るシャッタノブ２４Ａの軸部２４１は、予め下シャッタ２２と一体に形成されているため、従来の細かい別部材からなるシャッタノブの下シャッタ２２への固定作業等の手間を省略し、記録ディスクカートリッジ１の組立作業を簡易に行うことが可能となった。また、シャッタノブ２４Ａの軸部２４１を予め下シャッタ２２と一体に形成するため、細かい部材を取り扱うための手間と細かい部材を加工するための費用を省略することが可能となる。
【００６５】
また、円筒部２４２は、ガイド孔１２４の溝幅よりも大きな外径を有しているため、ガイド孔１２４からシャッタノブ２４Ａが外れることが防止される。また、円筒部２４２が軸部２４１と別部材により構成されているため、円筒部２４２の取り付けを、ロータリシャッタ２０の組立て後に、ロータリシャッタ２０を下シェル１２に配置してから行うことが可能となり、記録ディスクカートリッジ１の組立作業性が向上し、好適である。
【００６６】
また、シャッタノブ２４Ａは、下シャッタ２２と一体であり、所定の位置に配置されているため、ドライブ装置Ｄへの出し入れ時に当該シャッタノブ２４に作用する応力によって破損が生じることが防止されている。
【００６７】
＜ハブ孔シャッタ４０の動作＞
次に、このようなロータリシャッタ２０の動作に連動するハブ孔シャッタ４０について説明する。
ハブ孔シャッタ４０は、図７右側に示すように、記録ディスクカートリッジ１の通常時（ドライブ装置Ｄへの挿入前、ロータリシャッタ２０が閉位置にあるとき）において、カートリッジケース１０の下シェル１２とハブ３２との、隙間Ｓを塞いでいる。さらに説明すると、ハブ孔シャッタ４０を構成する第１シャッタ４１と第２シャッタ４２とは、下シェル１２と記録ディスクメディア３０との間でハブ３２を挟んでおり、隙間Ｓを塞いでいる。これにより、この隙間Ｓからカートリッジケース１０内への塵埃の侵入が防止されており、その結果として、記録ディスクメディア３０等が保護されている。
【００６８】
そして、記録ディスクカートリッジ１がドライブ装置Ｄに挿入されて、前記したように、ロータリシャッタ２０が回動すると、この回動に連動して、ハブ孔シャッタ４０が隙間Ｓを開く。さらに説明すると、ロータリシャッタ２０が回動すると、下シャッタ２２の係合突起２２３ａ，２２３ｂも回動する（図３、矢印Ａ４，Ａ４参照）。
【００６９】
ここで、前記したように、係合突起２２３ａは第１シャッタ４１の係合長孔４１３と係合しているため、回動する係合突起２２３ａは係合長孔４１３内を摺動し、第１シャッタ４１が下シェル１２の回動軸部１２５ａを軸として回動する（図３、矢印Ａ５参照）。
また、係合突起２２３ｂは第２シャッタ４２の係合長孔４２３と係合しているため、回動する係合突起２２３ｂは係合長孔４２３内を摺動し、第２シャッタ４２が下シェル１２の回動軸部１２５ｂを軸として回動する（図３、矢印Ａ５参照）。
【００７０】
このように、第１シャッタ４１及び第２シャッタ４２がそれぞれ回動すると、ハブ孔シャッタ４０は隙間Ｓを開き、これと共に、ハブ孔シャッタ４０によるハブ３２の挟持状態は解除される（図７左側参照）。その結果として、ハブ３２及びこれを備える記録ディスクメディア３０は、ハブ３２にチャックするドライブ装置Ｄのスピンドル（図示省略）により、良好に回転することができる。
【００７１】
なお、記録ディスクカートリッジ１がドライブ装置Ｄから取り出されると、閉位置に戻るロータリシャッタ２０に連動して、ハブ孔シャッタ４０は隙間Ｓを閉じる。
【００７２】
（第二の実施形態）
続いて、第二の実施形態に係る記録ディスクカートリッジについて説明する。第二の実施形態に係る記録ディスクカートリッジと第一の実施形態に係る記録ディスクカートリッジとの相違点は、シャッタノブのみであるため、以下、第二の実施形態に係るシャッタノブ２４Ｂについて説明する。なお、第一の実施形態と同一の部分には同一の符号を付し、その説明を省略する。
【００７３】
図８（ｂ）及び図９に示すように、第二の実施形態に係るシャッタノブ２４Ｂは、下シャッタ２２と一体に形成され、ガイド孔１２４から突出するように形成された突出部２４６と、突出部２４６に回動自在に取り付けられた円筒部２４７と、円筒部２４７の抜け止めであるストッパ２４８と、を備えている。
【００７４】
突出部２４６は、下シャッタ２２からガイド孔１２４方向に立設された立設部である。
【００７５】
円筒部２４７は、後記する円柱部２４８ａの外径よりも大きい内径と、ガイド孔１２４の溝幅よりも大きい外径と、を有している。円筒部２４７は、合成樹脂製の部材であり、突出部２４６よりも高耐磨耗性及び低摩擦性を示す部材である。円筒部２４７は、ストッパ２４８を介して、突出部２４６に回動自在に取り付けられている。
【００７６】
ストッパ２４８は、合成樹脂製の部材であり、上から順に、円柱部２４８ａ及び頭部２４８ｂを備えている。円柱部２４８ａは、ガイド孔１２４の溝幅よりも小さい外径を有しており、突出部２４６の高さよりも大きい高さを有している。円柱部２４８ａには、その上面に開口を有する穴２４８ａ１が形成されている。
頭部２４８ｂは、円筒部２４７の内径よりも大きく円筒部２４７の外径よりも小さい外径を有している。
【００７７】
ここで、図８を参照して、下シャッタ２２及びシャッタノブ２４Ａの突出部２４１の製造方法について説明する。
まず、図８（ａ）に示すように、金属板Ｂ２を用意する。金属板Ｂ２は、後に下シャッタ２２となる第一部分Ｂ２１と、後に突出部２４６となる第二部分Ｂ２２を備えている。第二部分Ｂ２２は、第一部分Ｂ２１から外側に延び、長方形状を呈している。Ｔ字形状を呈している。また、第一部分Ｂ２１と第二部分Ｂ２２とは、一対の切欠ｎ２，ｎ２により区画されている。
【００７８】
続いて、図８（ｂ）に示すように、第二部分Ｂ２２の基端部を折り曲げる。
このようにすることで、第一部分Ｂ２１及び第二部分Ｂ２２が、それぞれ下シャッタ２２及び突出部２４６となる。
そして、突出部２４６をガイド孔１２４（図６参照）に挿通させた後、円筒部２４７を突出部２４６に遊嵌させた状態で、突出部２４６をストッパ２４８の穴２４８ａ１に圧入する。
なお、切欠ｎ２，ｎ２が形成されていることにより、第二部分Ｂ２２の基端部（折り曲げ位置）が第一部分Ｂ２１の端縁よりも内側となるので、突出部２４６を下シャッタ２２の端縁よりも内側に配置することができる。
また、ストッパ２４８が下シャッタ２２に当接し、突出部２４６を折り曲げ形成したことにより生じた穴の一部を塞いでいるが、ストッパ２４８を穴の全部を塞ぐ形状としてもよい。
【００７９】
以上、本発明について、好適な実施形態について説明したが、本発明は前記の実施形態に限られず、本発明の趣旨を逸脱しない範囲で適宜設計変更が可能である。
例えば、前記実施形態では、シャッタノブの先端（突出部）に、円筒部を取り付ける構成について説明したが、必ずしも円筒部を取り付ける必要はない。例えば、突出部がシャッタノブ係止部に係止される構成であってもよい。この場合には、第一の実施形態に係る突出部２４１のように突出部が円筒形状を呈する筒部を備え、かかる筒部がシャッタノブ係止部に係止される構成であってもよい。また、シャッタノブを下シャッタの中心側に近づけて設ける場合には、金属板の第二部分（後に突出部となる部分）が第一部分（後に下シャッタとなる部分）から延出していなくてもよくなる。
【００８０】
例えば、図１０（ａ）に示すように、金属板Ｂ３に溝孔ｎ３（ここではコ字状）を形成することにより金属板Ｂ３を第一部分Ｂ３１と第二部分Ｂ３２とに区画し、第二部分Ｂ３２の基端部を折り曲げることにより、図１０（ｂ）に示す突出部２４９を形成する構成であってもよい。かかる突出部２４６をガイド孔１２４（図６参照）に挿通させた後、円筒部２４７を突出部２４６に遊嵌させた状態で、突出部２４６をストッパ２４８の穴２４８ａ１に圧入することにより、第二の実施形態と同様のシャッタノブを得ることができる。
このように、切欠または溝孔を金属板の所望の位置に形成することにより、突出部を下シャッタの所望の位置から立設させることができる。
【００８１】
また、カートリッジケースの構成は、前記実施形態で示したものに限定されるものではなく、適宜公知のカートリッジケースを使用してもよい。例えば、カートリッジケースのフレーム部材の構成は、適宜設定すればよい。
【００８２】
また、前記実施形態では、ハブ孔シャッタを備える構成について説明したが、必ずしもハブ孔シャッタを有していなくてもよい。
【図面の簡単な説明】
【００８３】
【図１】第一の実施形態に係る記録ディスクカートリッジを示す斜視図であり、（ａ）は前方斜め上方からみた図、（ｂ）は後方斜め下方からみた図である。
【図２】第一の実施形態に係る記録ディスクカートリッジの分解斜視図である。
【図３】第一の実施形態に係る記録ディスクカートリッジを下方からみた平面図である。
【図４】第一の実施形態に係るロータリシャッタを示す斜視図であり、（ａ）は前方斜め上方からみた図、（ｂ）は後方斜め下方からみた図である。
【図５】第一の実施形態に係る下シャッタ及び突出部の製造工程を説明するための図である。
【図６】第一の実施形態に係るシャッタノブの詳細を示す断面図である。
【図７】第一の実施形態に係る記録ディスクカートリッジをドライブ装置に挿入した状態を示す斜視図である。
【図８】第二の実施形態に係る下シャッタ及び突出部の製造工程を説明するための図である。
【図９】第二の実施形態に係るシャッタノブの詳細を示す断面図である。
【図１０】変形例に係る下シャッタ及び突出部の製造工程を説明するための図である。
【図１１】従来の記録ディスクカートリッジを示す斜視図であり、（ａ）は上側前方からみた図、（ｂ）は下側後方からみた図である。
【符号の説明】
【００８４】
１      記録ディスクカートリッジ
１０    カートリッジケース
２０    ロータリシャッタ
２１    上シャッタ（平板部材）
２２    下シャッタ（平板部材）
２３    シャッタウォール
２４Ａ，２４Ｂ  シャッタノブ
２４１，２４６，２４９  突出部
２４２，２４７  円筒部（取付部）
３０    記録ディスクメディア
１０１，１１１，１２１  アクセス用開口部（ケース開口）
Ｄ      ドライブ装置
Ｄ１    シャッタノブ係止部
【図１】
2007149197.tif 000003
【図２】
2007149197.tif 000004
【図３】
2007149197.tif 000005
【図４】
2007149197.tif 000006
【図５】
2007149197.tif 000007
【図６】
2007149197.tif 000008
【図７】
2007149197.tif 000009
【図８】
2007149197.tif 000010
【図９】
2007149197.tif 000011
【図１０】
2007149197.tif 000012
【図１１】
2007149197.tif 000013